(57)【要約】【課題】立てた状態で設置しやすい太陽電池モジュールの取付構造を提供する。【解決手段】太陽電池モジュールの取付構造は、太陽電池モジュール１０と、太陽電池モジュール１０を立設した設置面８０に支持する固定具と、を有する。固定具は、太陽電池モジュール１０を支持する上側支持具１００と、太陽電池モジュール１０を支持し、上側支持具１００よりも下方に位置する下側支持具４００と、を有する。上側支持具と下側支持具の一方は、太陽電池モジュール１０の荷重を下方から支える積載部１１６を有する。【選択図】図４
2019165535.tif 000002
【特許請求の範囲】
【請求項１】
太陽電池モジュールと、
前記太陽電池モジュールを立設した設置面に支持する固定具と、を有し、
前記固定具は、前記太陽電池モジュールを支持する上側支持具と、前記太陽電池モジュールを支持し、前記上側支持具よりも下方に位置する下側支持具と、を有し、
前記上側支持具と前記下側支持具の一方は、前記太陽電池モジュールの荷重を下方から支える積載部を有する、太陽電池モジュールの取付構造。
【請求項２】
前記積載部は、前記上側支持具に設けられており、
前記上側支持具は、前記積載部から下方に延びた係合部を有し、
前記太陽電池モジュールは、前記上側支持具の前記係合部に係合し、前記積載部に積載される被積載部から下方に延びる係合部を有する、請求項１に記載の太陽電池モジュールの取付構造。
【請求項３】
前記上側支持具は、前記上側支持具の前記係合部と前記設置面との間で上方に延びるガイド部を有する、請求項２に記載の太陽電池モジュールの取付構造。
【請求項４】
前記積載部は、前記上側支持具に設けられており、
前記上側支持具は、前記設置面から離れる方向への前記太陽電池モジュールの移動を規制しつつ、前記設置面に平行な方向から前記太陽電池モジュールをスライド式にはめ込み可能なガイド部を有する、請求項１に記載の太陽電池モジュールの取付構造。
【請求項５】
前記積載部は、前記上側支持具に設けられており、
前記上側支持具は、押し込み式の嵌合機構を有し、
前記太陽電池モジュールは、前記嵌合機構に嵌合可能な被嵌合部を有する、請求項１に記載の太陽電池モジュールの取付構造。
【請求項６】
前記積載部は、前記下側支持具に設けられており、
前記下側支持具の前記積載部は、前記太陽電池モジュールの下側に位置する前記フレームを下から支えるよう構成されている、請求項１に記載の太陽電池モジュールの取付構造。
【請求項７】
前記上側支持具と前記下側支持具に設けられており、
前記下側支持具の前記積載部は、前記太陽電池モジュールの下側に位置する前記フレームを下から支えるよう構成されている、請求項１に記載の太陽電池モジュールの取付構造。
【請求項８】
前記太陽電池モジュールの下側に位置する前記フレームは、前記下側支持具の前記積載部から上方に突出する２つの凸部どうしの間に挟まれている、請求項７に記載の太陽電池モジュールの取付構造。
【請求項９】
前記太陽電池モジュールは、太陽電池パネルと、前記太陽電池パネルの外周部に設けられたフレームと、を有し、
前記太陽電池モジュールの水平方向の両側に位置する前記フレームの上部は、前記上側支持部と干渉しないための切り欠き部を有する、請求項１から８のいずれか１項に記載の太陽電池モジュールの取付構造。
【発明の詳細な説明】
【技術分野】
【０００１】
本発明は、太陽電池モジュールの取付構造に関する。
【背景技術】
【０００２】
近年、太陽電池モジュールが幅広く普及し始めている。太陽電池モジュールは、建物の屋根に設置されたり、広い敷地の地面上に設置されたりしている。太陽電池モジュールは太陽光を受けることで発電するため、太陽光を受けることができる場所に設置できればよい。太陽電池モジュールを設置する構造物の１つとして、例えば車道のような道路の脇に立てられた防音壁が挙げられる（以下の特許文献１参照）。
【０００３】
特許文献１は、道路の脇に立てられた防音壁としての機能を担いつつ、太陽光による発電が可能な発電防音パネルを開示する。具体的には、発電防音パネルは、立設された一対の支柱によって支持されている。支柱は断面Ｈ型の形状を有する。互いに隣接する支柱は、その凹部（取付溝）どうしが対向するように配置されている。発電防音パネルは、鉛直上方から下方に向けてスライドさせることによって、一対の支柱の取付溝内にはめ込まれる。
【先行技術文献】
【特許文献】
【０００４】
【特許文献１】特開２００４−２５７１６４号公報
【発明の概要】
【発明が解決しようとする課題】
【０００５】
特許文献１に記載された発電防音パネルでは、発電防音パネルの設置のために専用の支柱が必要となる。具体的には、支柱の取付溝は、発電防音パネルの厚みに合わせて形成しなければならない。また、一対の支柱は、太陽電池モジュールのサイズに合わせて設置しなければならない。この代わりに、既存の支柱に新たに太陽電池モジュールを設置しようとするのであれば、支柱同士の間の距離や、支柱の取付溝のサイズに合わせて太陽電池モジュールを製造しなければならない。
【０００６】
したがって、立てた状態で設置しやすい太陽電池モジュールの取付構造が望まれる。より具体的には、例えば立設された壁面のような既存の構造物に太陽電池モジュールを設置しやすい太陽電池モジュールの取付構造が望ましい。
【課題を解決するための手段】
【０００７】
一態様に係る太陽電池モジュールの取付構造は、太陽電池モジュールと、太陽電池モジュールを立設した設置面に支持する固定具と、を有する。固定具は、太陽電池モジュールを支持する上側支持具と、太陽電池モジュールを支持し、上側支持具よりも下方に位置する下側支持具と、を有する。上側支持具と下側支持具の一方は、太陽電池モジュールの荷重を下方から支える積載部を有する。
【発明の効果】
【０００８】
上記態様によれば、立てた状態で設置しやすい太陽電池モジュールの取付構造を提供することができる。
【図面の簡単な説明】
【０００９】
【図１】第１実施形態に係る太陽電池モジュール取付構造の斜視図である。
【図２】図１の矢印Ａ２方向から見た太陽電池モジュール取付構造の側面図である。
【図３】図１に示す太陽電池モジュール取付構造から太陽電池モジュールを取り除いた状態を示す図である。
【図４】図２の領域Ｒ４の拡大図である。
【図５】図１の領域Ｒ５の拡大図である。
【図６】図２の領域Ｒ６の拡大図である。
【図７】図１の領域Ｒ７の拡大図である。
【図８】第２実施形態に係る太陽電池モジュール取付構造の側面図である。
【図９】図８の領域Ｒ９の拡大図である。
【図１０】図９に示す領域の斜視図である。
【図１１】第３実施形態に係る太陽電池モジュール取付構造の側面図である。
【図１２】図１１の領域Ｒ１２の拡大図である。
【図１３】図１２に示す領域の斜視図である。
【図１４】第４実施形態に係る太陽電池モジュール取付構造の平面図である。
【図１５】図１４の矢印Ａ１５方向から見た太陽電池モジュール取付構造の側面図である。
【図１６】図１５の領域Ｒ１６の拡大図である。
【図１７】図１６に示す領域の斜視図である。
【発明を実施するための形態】
【００１０】
以下、図面を参照して、実施形態について説明する。以下の図面において、同一又は類似の部分には、同一又は類似の符号を付している。ただし、図面は模式的なものであり、各寸法の比率等は現実のものとは異なることがあることに留意すべきである。
【００１１】
（１）第１実施形態
図１は、第１実施形態に係る太陽電池モジュール取付構造の斜視図である。図２は、図１の矢印Ａ２方向から見た太陽電池モジュール取付構造の側面図である。図３は、図１に示す太陽電池モジュール取付構造から太陽電池モジュールを取り除いた状態を示す図である。図４は、図２の領域Ｒ４の拡大図である。図５は、図１の領域Ｒ５の拡大図である。図６は、図２の領域Ｒ６の拡大図である。図７は、図１の領域Ｒ７の拡大図である。
【００１２】
第１実施形態に係る太陽電池モジュール取付構造は、太陽電池モジュール１０と、太陽電池モジュール１０を立設した設置面８０に支持する固定具と、を有する。設置面８０は、太陽電池モジュール１０を立てた状態で設置可能であれば特に限定されない。設置面８０は、例えば、立設された建造物の壁面であってよい。建造物としては、ビル、防音壁及び高架橋などであってよい。例えば、建造物は道路の脇に設置された防音壁であってもよい。
【００１３】
ここで、立設した設置面８０は、水平面に対して直交する方向、すなわち鉛直方向に沿って立てられた設置面に限定されず、鉛直方向から傾斜して立てられた設置面をも含むことに留意されたい。
【００１４】
太陽電池モジュール１０は、太陽電池パネル２０と、太陽電池パネル２０に取り付けられたフレーム３０と、を有していてよい。フレーム３０は、太陽電池パネル２０の外周部を取り囲んでいてよい。フレーム３０は、太陽電池パネル２０の上方の端部で、太陽電池パネル２０の厚み方向に延びた被積載部３４と、被積載部３４の設置面８０側の先端から下方に延びた係合部３６と、を有していてよい。
【００１５】
太陽電池モジュール１０を支持する固定具は、太陽電池モジュール１０を支持する上側支持具１００と、太陽電池モジュール１０を支持し、上側支持具１００よりも下方に位置する下側支持具４００と、を有する。第１実施形態では、上側支持具１００は、太陽電池モジュール１０の荷重を下方から支える積載部１１６を有する。
【００１６】
上側支持具１００の詳細な構造の一例について、図４及び図５を参照して説明する。上側支持具１００は、設置面８０に面する基部１１０を有する。上側支持具１００は、基部１１０と設置面８０に挿通される締結部材１４０を介して設置面８０に固定される。
【００１７】
上側支持具１００は、設置面８０上で概ね水平方向に沿って延びていてよい。この代わりに、上側支持具１００は、水平方向に沿って断続的に複数の部分に分けられていてもよい。すなわち、上側支持具１００は、太陽電池モジュール１０の荷重を支える位置にだけ設けられていてもよい。
【００１８】
上側支持具１００は、設置面８０から離れる方向に向かって基部１１０から連続して延びた連結部１１２を有していてよい。上側支持具１００は、設置面８０から離れた位置に、連結部１１２から上方に延びた係合部１１４を有する。前述した積載部１１６は、係合部１１４の上方の端部から、設置面８０から離れる方向に向かって延びている。すなわち、係合部１１４及び積載部１１６は、Ｌ字形になるよう連結されている。なお、基部１１０、連結部１１２、係合部１１４及び積載部１１６は、一体的に構成されていることが好ましい。
【００１９】
太陽電池モジュール１０のフレーム３０の被積載部３４は、上側支持具１００の積載部１１６上に積載される。さらに、フレーム３０の係合部３６は、上側支持具１００の係合部１１４に係合している。より詳細には、フレーム３０の被積載部３４と係合部３６は、上側支持具１００の係合部１１４に係合するよう、Ｌ字形に連結されている。
【００２０】
上記構造によれば、太陽電池モジュール１０の荷重は上側支持具１００の積載部１１６で支えられる。さらに、フレーム３０の係合部３６と上側支持具１００の係合部１１４とが互いに係合するため、締結部材のような締め付け手段を用いなくても、太陽電池モジュール１０を上側支持具１００に支持した状態で維持することができる。
【００２１】
上記の上側支持具１００は、太陽電池モジュール１０が下側支持具４００で支持されていなくても、太陽電池モジュール１０を設置面８０に支持可能となっている。したがって、太陽電池モジュール１０を設置する作業員は、設置面８０に取り付けた上側支持具１００に太陽電池モジュール１０を取り付けた状態で、後述する下側支持具４００を用いて太陽電池モジュール１０を固定することができる。これにより、太陽電池モジュール１０を立設した設置面８０に容易に取り付けることができる。
【００２２】
また、上側支持具１００は、設置面８０と係合部１１４との間で上方に延びるガイド部１１８を有していてもよい。太陽電池モジュール１０のフレーム３０の係合部３６は、係合部１１４とガイド部１１８との間に配置される。ガイド部１１８は、設置動作中に、太陽電池モジュール１０のフレーム３０の係合部３６を、上側支持具１００の係合部１１４へガイドする。これにより、太陽電池モジュール１０を、上方から上側支持具１００に取り付けやすくなる。なお、ガイド部１１８と係合部１１４との間の隙間に、太陽電池モジュール１０のフレーム３０の係合部３６を挿入し易くするため、ガイド部１１８と係合部１１４との間の隙間は、上向きに開放されていることがより好ましい。また、ガイド部１１８は、上側支持具１００の連結部１１２に一体的に形成されていてよい。
【００２３】
太陽電池モジュール１０の水平方向の両側に位置するフレーム３０の上部は、上側支持部１００との干渉を避けるため、切り欠き部３２を有することが好ましい。また、上下方向におけるフレーム３０の切り欠き部３２の長さは、上下方向における上側支持具１００の係合部１１４とフレーム３０の係合部３６の長さの和よりも長いことが好ましい。この場合、太陽電池モジュール１０を上方から上側支持具１００に取り付けやすくなる。
【００２４】
次に、下側支持具４００の詳細な構造の一例について、図６及び図７を参照して説明する。下側支持具４００は、設置面８０に固定させる第１部材４１０と、太陽電池モジュール１０のフレーム３０に取り付けられる第２部材４２０と、を有していてよい。
【００２５】
第１部材４１０は、設置面８０に面する基部４１２を有する。第１部材４１０は、基部４１２と設置面８０に挿通される締結部材４４０を介して設置面８０に固定される。第１部材４１０は、設置面８０から離れる方向に基部４１２から連続して延びた連結部４１４を有する。設置面８０から離れた位置で、連結部４１４から上方に延びた被締結部４１６が設けられている。なお、基部４１２、連結部４１４及び被締結部４１６は、一体的に形成されていることが好ましい。
【００２６】
第１部材４１０は、設置面８０上で概ね水平方向に沿って延びていてよい。この代わりに、第１部材４１０は、水平方向に沿って断続的に複数の部分に分けられていてもよい。すなわち、第１部材４１０は、後述する第２部材４２０の位置にのみ設けられていてもよい。
【００２７】
第２部材４２０は、被締結部４２２と、連結部４２４と、フレーム保持部４２６と、を有していてよい。なお、被締結部４２２、連結部４２４及びフレーム保持部４２６は、一体的に形成されていることが好ましい。
【００２８】
フレーム保持部４２６は、太陽電池モジュール１０のフレーム３０の表面、詳細には設置面８０とは反対側の表面を部分的に覆っている。太陽電池モジュール１０の側部は、第１部材４１０の被締結部４１６と第２部材４２０のフレーム保持部４２６との間に挟まれている。
【００２９】
連結部４２４は、被締結部４２２とフレーム保持部４２６とを連結している。より具体的には、連結部４２４は、被締結部４２２から、フレーム３０に沿って設置面８０と略直交する方向に延びていてよい。
【００３０】
被締結部４２２は、連結部４２４から連続して延びており、設置面８０と略平行な方向に沿って延びていてよい。第２部材４２０の被締結部４２２は、第１部材４１０の被締結部４１６と面する。第１部材４１０の被締結部４１６と第２部材４２０の被締結部４２２とは、締結部材４３０によって互いに締結されている。第１部材４１０と第２部材４２０とが互いに締結することによって、太陽電池モジュール１０が下側支持具４００のところで設置面８０に固定される。
【００３１】
上記実施形態では、下側支持具４００は、第１部材４１０と第２部材４２０の２つの部材によって構成されている。この代わりに、下側支持具４００は、１つの部材によって一体的に構成されていてもよい。この場合、例えば、第１部材４１０とフレーム３０とが締結部材によって直接締結される構造であってもよい。
【００３２】
本実施形態に係る太陽電池モジュールの取付構造では、例えばボルトのような締結部材を挿入することが可能な設置面、例えば立設された壁面のような既存の構造物に容易に太陽電池モジュールを設置することができる。
【００３３】
太陽電池モジュール１０を設置面８０に取り付ける場合、まず、上側支持具１００と、下側支持具４００の第１部材４１０と、を設置面８０に取り付ける。次に、太陽電池モジュール１０を上側支持具１００に取り付ける。太陽電池モジュール１０が上側支持具１００に取り付けられた状態で、太陽電池モジュール１０の荷重は、上側支持具１００の積載部１１６に支えられる。そのため、作業員は、太陽電池モジュール１０から手を放したとしても、太陽電池モジュール１０は落下しない。
【００３４】
次に、下側支持具４００の第２部材４２０によって、太陽電池モジュール１０を下側支持具４００の第１部材４１０に固定する。これにより、太陽電池モジュール１０を立設した設置面８０に設置することができる。
【００３５】
（２）第２実施形態
図８は、第２実施形態に係る太陽電池モジュール取付構造の側面図である。図９は、図８の領域Ｒ９の拡大図である。図１０は、図９に示す領域の斜視図である。第２実施形態において、第１実施形態と同様の構成については、同様の符号が付されている。以下では、第１実施形態と同様の構成については、その説明を省略することがある。
【００３６】
第２実施形態に係る太陽電池モジュール取付構造は、太陽電池モジュール１０と、立てられた状態で太陽電池モジュール１０を支持する固定具と、を有する。立てられた状態で太陽電池モジュール１０を支持する固定具は、太陽電池モジュール１０を支持する上側支持具２００と、太陽電池モジュール１０を支持し、上側支持具２００よりも下方に位置する下側支持具４００と、を有する。下側支持具４００の構造は、第１実施形態で説明したとおりである。
【００３７】
第２実施形態に係る上側支持具２００の基部１１０、連結部１１２、係合部１１４及び積載部１１６の構成は、第１実施形態と同様である。
【００３８】
第２実施形態に係る上側支持具２００は、設置面８０に平行な方向から太陽電池モジュール１０をスライド式にはめ込み可能なガイド機構１１４，１１６，２１８，２１９を有する。スライド式にはめ込み可能なガイド機構は、設置面８０から離れる方向への太陽電池モジュール１０の移動を規制するよう構成されている。これにより、太陽電池モジュール１０をスライドして上側支持具２００にはめ込むだけで、太陽電池モジュール１０を上側支持具２００で支持することができる。
【００３９】
第２実施形態では、このガイド機構は、Ｌ字型に曲げられた係合部１１４及び積載部１１６と、係合部１１４及び積載部１１６のそれぞれに対向する第１ガイド部２１８及び第２ガイド部２１９によって構成されている。より具体的には、第１ガイド部２１８と第２ガイド部２１９は、Ｌ字型になるよう連結されており、係合部１１４及び積載部１１６との間にＬ字型の隙間を形成する。このＬ字型の隙間に太陽電池モジュール１０のフレーム３０がはめ込まれている。
【００４０】
上側支持具２００は、上記構成に限らず、設置面８０に平行な方向から太陽電池モジュール１０をスライド式にはめ込み可能であり、かつ、設置面８０から離れる方向への太陽電池モジュール１０の移動を規制する構成を有していればよい。すなわち、上側支持具２００は、太陽電池モジュール１０のフレーム３０の断面形状と同様の断面形状を有する隙間であって、設置面８０と平行な方向からフレーム３０はめ込み可能な隙間を有していればよい。
【００４１】
（３）第３実施形態
図１１は、第３実施形態に係る太陽電池モジュール取付構造の側面図である。図１２は、図１１の領域Ｒ１２の拡大図である。図１３は、図１２に示す領域の斜視図である。第３実施形態において、第１実施形態と同様の構成については、同様の符号が付されている。以下では、第１実施形態と同様の構成については、その説明を省略することがある。
【００４２】
第３実施形態に係る太陽電池モジュール取付構造は、太陽電池モジュール１０と、立てられた状態で太陽電池モジュール１０を支持する固定具と、を有する。立てられた状態で太陽電池モジュール１０を支持する固定具は、太陽電池モジュール１０を支持する上側支持具３００と、太陽電池モジュール１０を支持し、上側支持具３００よりも下方に位置する下側支持具４００と、を有する。下側支持具４００の構造は、第１実施形態で説明したとおりである。
【００４３】
第３実施形態に係る上側支持具３００の基部１１０及び連結部１１２の構成は、第１実施形態と同様である。第３実施形態に係る上側支持具３００は、押し込み式の嵌合機構３１４を有する。嵌合機構３１４は、連結部１１２と一体的に形成されていてよい。
【００４４】
嵌合機構３１４は、太陽電池モジュール１０のフレーム３０の方に向かって突出した一対の板バネ３１６を有していてよい。一対の板バネ３１６どうしの間の距離は、フレーム３０の方に向かうにつれて広がっていてよい。
【００４５】
太陽電池モジュール１０は、押し込み式の嵌合機構３１４に嵌合可能な被嵌合部３８を有する。第３実施形態では、被嵌合部３８は、太陽電池モジュール１０のフレーム３０に形成されている。被嵌合部３８は、嵌合機構３１４を構成する一対の板バネ３１６どうしの間にはまり込む一対の板バネ形状を有していてよい。被嵌合部３８の先端部は、嵌合機構３１４を構成する一対の板バネ３１６と引っかかるよう、外側に向かって少し広がっている。太陽電池モジュール１０の被嵌合部３８は、押し込み動作だけによって嵌合機構３１４に嵌合可能に構成されている。
【００４６】
（４）第４実施形態
図１４は、第４実施形態に係る太陽電池モジュール取付構造の平面図である。図１５は、図１４の矢印Ａ１５方向から見た太陽電池モジュール取付構造の側面図である。図１６は、図１５の領域Ｒ１６の拡大図である。図１７は、図１６に示す領域の斜視図である。第４実施形態において、第１実施形態と同様の構成については、同様の符号が付されている。以下では、第１実施形態と同様の構成については、その説明を省略することがある。
【００４７】
第４実施形態に係る太陽電池モジュール取付構造は、太陽電池モジュール１０と、立てられた状態で太陽電池モジュール１０を支持する固定具と、を有する。立てられた状態で太陽電池モジュール１０を支持する固定具は、太陽電池モジュール１０を支持する上側支持具３５０と、太陽電池モジュール１０を支持し、上側支持具３５０よりも下方に位置する下側支持具５００と、を有する。
【００４８】
第４実施形態において、上側支持具３５０の構造は、第１実施形態で説明した下側支持具５００の構造と同じである。したがって、上側支持具３５０の構造の詳細の説明は、省略する。
【００４９】
次に、第４実施形態に係る下側支持具５００の詳細な構造の一例について、図１６及び図１７を参照して説明する。下側支持具５００は、設置面８０に面する基部５１０を有する。下側支持具５００は、基部５１０と設置面８０に挿通される締結部材５４０を介して設置面８０に固定される。
【００５０】
下側支持具５００は、設置面８０から離れる方向に基部５１０から連続して延びた積載部５１２を有する。下側支持具５００の積載部５１２は、太陽電池モジュール１０の下側に位置するフレーム３０を下から支えるよう構成されている。より詳細には、下側支持具５００の積載部５１２は、フレーム３０の下端３９を下から支えていてよい。
【００５１】
下側支持具５００は、設置面８０に平行な方向に連続的に延びていてよい。この代わりに、下側支持具５００は、設置面８０に平行な方向に断続的に配置されるよう、複数の部分に分断されていてもよい。
【００５２】
下側支持具５００は、積載部５１２から上方に突出した一対の凸部５１４，５１８を有していてよい。太陽電池モジュール１０のフレーム３０の下端３９は、下側支持具５００に形成された一対の凸部５１４，５１８どうしの間に位置する。
【００５３】
第４実施形態では、太陽電池モジュール１０を設置面８０に取り付ける場合、まず、上側支持具３５０と下側支持具５００を設置面８０に取り付ける。次に、太陽電池モジュール１０を下側支持具５００の積載部５１２に積載する。
【００５４】
次に、太陽電池モジュール１０が下側支持具５００の積載部５１２に積載された状態で、作業員は、太陽電池モジュール１０を上側支持具３５０に取り付ける。この際、太陽電池モジュール１０の荷重の大部分は下側支持具５００で支えられているため、作業員は、かるく太陽電池モジュール１０を押さえながら、太陽電池モジュール１０を上側支持具３５０に取り付けることができる。
【００５５】
第４実施形態では、太陽電池モジュール１０を先に下側支持具５００に載せた後に、上側支持具３５０で太陽電池モジュール１０を固定する。したがって、太陽電池モジュール１０を比較的低い位置、例えば作業員の高さよりも低い位置に設置する場合であっても、太陽電池モジュール１０を設置面８０に設置しやすい。
【００５６】
（５）その他の実施形態
上述したように、実施形態を通じて本発明の内容を開示したが、この開示の一部をなす論述及び図面は、本発明を限定するものであると理解すべきではない。この開示から当業者には様々な代替の実施形態、実施例及び運用技術が明らかとなる。したがって、本発明の技術的範囲は、上述の説明から妥当な特許請求の範囲に係る発明特定事項によってのみ定められるものである。
【００５７】
図１に示す態様では、上側支持具１００と下側支持具４００とによって１つの太陽電池モジュール１０が支持されている。この代わりに、互いに横方向に隣接した複数の太陽電池モジュール１０が、上側支持具１００と下側支持具４００とによって支持されていてもよい。この場合、上側支持具１００と下側支持具４００は、横方向における太陽電池モジュールのサイズよりも十分に長い。この場合、太陽電池モジュールの数と同じ数の上側支持具１００と下側支持具４００を用いる場合と比較すると、上側支持具１００と下側支持具４００を設置面８０に固定するために必要な締結部材の数が少なくなる。
【００５８】
また、上記の複数の実施形態で説明した上側支持具１００，２００，３００，３５０と下側支持具４００，５００の構造は、可能な限り、相互に置き換え可能である。例えば、下側支持具は、第１〜３実施形態に係る上側支持具１００，２００，３００と同じ構造を有していてもよい。
【００５９】
また、上側支持具１００，２００，３００，３５０と下側支持具４００，５００の組み合わせも任意に変更可能である。例えば、第４実施形態に係る下側支持具５００は、第１実施形態から第３実施形態に係る上側支持具１００，２００，３００のいずれかと併用されることができる。
【００６０】
また、上記実施形態で説明した固定具とは異なる構成の固定具を用いることも可能である。例えば、太陽電池モジュール１０のフレーム３０と設置面８０を例えばボルトのような締結部材によって直接締結してもよい。
【００６１】
また、太陽電池モジュール１０のフレーム３０と、設置面８０に固定された支持具の両方に穴をあけ、それらの穴にワイヤを通すことによって、太陽電池モジュール１０を支持具に取り付けることもできる。また、設置面にフック付きの締結部材を締結しておき、太陽電池モジュール１０のフレーム３０に形成された穴に通したワイヤをフックに固定してもよい。この場合であっても、太陽電池モジュールを設置面に取り付けることができる。
【００６２】
さらに、太陽電池モジュール１０は、設置面８０に固定された固定具に磁力によって固定されてもよい。この場合、設置面８０に固定された固定具が磁石を有し、フレーム３０が磁石に付く部材で構成されていてよい。この代わりに、フレーム３０がアルミニウム合金のような磁石に付かない部材で構成されている場合、設置面８０に固定された固定具とフレーム３０の両方に磁石を取り付けてもよい。
【符号の説明】
【００６３】
１０    太陽電池モジュール
２０    太陽電池パネル
３０    フレーム
３２    切り欠き部
３４    被積載部
３６    係合部
８０    設置面
１００，２００，３００，３５０    上側支持具
４００，５００    下側支持具
【図１】
2019165535.tif 000003
【図２】
2019165535.tif 000004
【図３】
2019165535.tif 000005
【図４】
2019165535.tif 000006
【図５】
2019165535.tif 000007
【図６】
2019165535.tif 000008
【図７】
2019165535.tif 000009
【図８】
2019165535.tif 000010
【図９】
2019165535.tif 000011
【図１０】
2019165535.tif 000012
【図１１】
2019165535.tif 000013
【図１２】
2019165535.tif 000014
【図１３】
2019165535.tif 000015
【図１４】
2019165535.tif 000016
【図１５】
2019165535.tif 000017
【図１６】
2019165535.tif 000018
【図１７】
2019165535.tif 000019